【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
搭載されていない状態では、平面形状を有し、スプリングの平面に垂直な対称軸周りに少なくとも２度の回転対称度を有するスプリングであって、
内部ハブが外部ハブの半径方向の内側に存在する前記内部ハブおよび前記外部ハブと、
それぞれの内端部が内部平面接続領域を介して前記内部ハブに接続され、外端部が外部平面接続領域を介して前記外部ハブに接続された複数の弾性の接続アームと
を備え、
前記内部平面接続領域および前記外部平面接続領域の平面は、前記対称軸に垂直であり、前記複数の弾性の接続アームは、前記内部ハブと前記外部ハブとが前記対称軸に沿って相対的に変位した場合には、前記対称軸に平行な復元力を与えるよう構成されており、
前記内部ハブ、前記外部ハブ、および、前記複数の弾性の接続アームそれぞれは、物理的に別個の部材として形成されており、前記スプリングを形成するための組み立て中に互いに接続されるスプリング。
【請求項２】
前記複数の弾性の接続アームを、前記内部ハブおよび前記外部ハブに対して位置合わせするためのハブ配置フィーチャをさらに備える請求項１に記載のスプリング。
【請求項３】
前記ハブ配置フィーチャは、前記複数の弾性の接続アームおよび前記内部ハブおよび前記外部ハブにシリンダー状の穴を含み、前記シリンダー状の穴の中に挿入可能なシリンダー状の位置合わせ部材と協働させる請求項２に記載のスプリング。
【請求項４】
前記複数の弾性の接続アームは、複数のスタック内に配置され、あるスタック内の各弾性の接続アームは、同じスタック内の他の弾性の接続アームの全てと、前記対称軸に平行な方向に位置合わせされる請求項１、２、および３のいずれか一項に記載のスプリング。
【請求項５】
各スタック内の前記複数の弾性の接続アームのそれぞれは、同じスタック内の他の弾性の接続アームから、シムによって分離されている、請求項４に従属しているとき、請求項４に記載されているスプリング。
【請求項６】
前記ハブ配置フィーチャは、完全な負荷をかける配置フィーチャおよび部分的に負荷をかける配置フィーチャを有し、
前記完全な負荷をかける配置フィーチャは、前記複数の弾性の接続アームの前記内端部および前記外端部のうちの１つの端部の前記平面内の、前記１つの端部を接続する前記ハブの部分に対する横方向の運動を妨げ、
前記部分的に負荷をかける配置フィーチャは、前記複数の弾性の接続アームの前記内端部および前記外端部のうちの１つの端部の前記平面内の、前記１つの端部を接続する前記ハブの部分に対する第１の方向の運動を妨げるが、前記平面内の第２の方向の運動は許可し、前記第２の方向は前記第１の方向に垂直である、請求項１から５のいずれか一項に記載のスプリング。
【請求項７】
前記ハブ配置フィーチャは、複数の前記完全な負荷をかける配置フィーチャおよび複数の前記部分的に負荷をかける配置フィーチャを有し、それぞれの数および方向は、前記スプリングに過度に負荷がかからないよう選択されている請求項６に記載のスプリング。
【請求項８】
前記複数の弾性の接続アームを、前記内部ハブおよび前記外部ハブに固定する固定手段をさらに備え、
前記固定手段は、前記内部平面接続領域および前記外部平面接続領域を、前記内部ハブおよび前記外部ハブに、前記対称軸に平行な方向に押圧する固定力を加える請求項１から７のいずれか一項に記載のスプリング。
【請求項９】
前記固定手段は、前記内部ハブおよび前記外部ハブのねじ穴に、前記複数の弾性の接続アームの対応する穴を介して係合されるねじを有し、
前記固定手段は、１）前記複数の弾性の接続アームを、前記内部ハブおよび前記外部ハブに固定することと、２）前記複数の弾性の接続アームを、前記内部ハブおよび前記外部ハブに位置合わせすること、および前記複数の弾性の接続アーム同士を、任意のスタック内で位置合わせすることの少なくとも一方とを両方実行するよう構成されている請求項８に記載のスプリング。
【請求項１０】
前記ねじは、プレーンなシリンダー状の外表面を有する長尺状の肩部を有して、前記複数の弾性の接続アーム内の穴の前記シリンダー状の内表面に対して係合して、前記複数の弾性の接続アーム同士を各スタック内で位置合わせする、請求項９に従属しているとき、請求項９に記載されているスプリング。
【請求項１１】
前記ねじ穴は、シリンダー状の内表面を有するねじを切られていない部分と、ねじの切られた部分とを有し、前記長尺状の肩部は、前記ねじ穴の前記ねじを切られていない部分の前記シリンダー状の内表面に係合して、前記複数の弾性の接続アームを、前記内部ハブおよび前記外部ハブに対して位置合わせする請求項１０に記載のスプリング。
【請求項１２】
前記ねじの前記ねじを切られた部分の外部の周りにシリンダー状のチューブをさらに備え、
前記シリンダー状のチューブの外表面は、前記複数の弾性の接続アームの穴の前記シリンダー状の内表面に係合して、各スタック内で弾性の接続アーム同士を位置合わせする、請求項１３に従属しているとき、請求項９に記載されているスプリング。
【請求項１３】
前記ねじ穴は、シリンダー状の内表面を有するねじを切られていない部分と、ねじの切られた部分とを有し、前記シリンダー状のチューブは、前記ねじ穴の前記ねじを切られていない部分の前記シリンダー状の内表面に係合して、前記複数の弾性の接続アームを、前記内部ハブおよび前記外部ハブに対して位置合わせする請求項１２に記載のスプリング。
【請求項１４】
前記固定手段は、前記複数の弾性の接続アームの各端部を、少なくとも２つの固定点を介して前記内部ハブおよび前記外部ハブに固定する請求項８から１３のいずれか一項に記載のスプリング。
【請求項１５】
前記複数の弾性の接続アームのそれぞれは、前記アームの前記内端部および前記外端部付近の領域と比べて、前記アームの中間部に近い部分が薄くなるようなテーパ形状である請求項１から１４のいずれか一項に記載のスプリング。
【請求項１６】
前記複数の弾性の接続アームのスタック数、または、スタックがない場合は前記複数の弾性の接続アームの数は、前記回転対称度より大きく、
前記外部ハブは複数の不連続なセグメントを有し、各セグメントは、互いに最も近い弾性の接続部材の外端部のみに接続されている請求項１から１５のいずれか一項に記載のスプリング。
【請求項１７】
軸方向に位置合わせされ、異なる群に配置され、互いに接続された、請求項１から１６のいずれか一項に記載の複数のスプリングを備えるスプリングアセンブリ。
【請求項１８】
互いに物理的に分離された内部ハブおよび外部ハブと、
互いに、および、前記内部ハブおよび前記外部ハブから物理的に分離されており、内端部が前記内部ハブに接続可能であり、外端部が前記外部ハブに接続可能である複数の弾性の接続アームと
を備え、
前記複数の弾性の接続アームは、前記内部ハブと前記外部ハブとが前記対称軸に対して相対的に変位すると、接続されたときに前記対称軸に平行な復元力を与えるよう構成されている請求項１から１６のいずれか一項に記載のスプリングを構成するためのキット。
【請求項１９】
請求項１から１６のいずれか一項に記載のスプリングと、
前記スプリングの前記内部ハブおよび前記外部ハブの一方に接続されるシリンダーと、
前記スプリングの前記内部ハブおよび前記外部ハブの他方に接続され、前記シリンダー内で縦方向に移動するピストンと
を備え、
前記スプリングは、前記ピストンと前記シリンダーとの間に一定のすきまが維持されるよう、前記シリンダー内の前記ピストンの相対運動を誘導するピストン／シリンダーアセンブリ。
【請求項２０】
搭載されていない状態では、平面形状を有し、スプリングの平面に垂直な対称軸周りに少なくとも２度の回転対称度を有するスプリングを製造する方法であって、
物理的に別個の部材として、内部ハブ、外部ハブ、および複数の弾性の接続アームを提供する工程と、
前記内部ハブを、前記外部ハブの半径方向の内側に配置する工程と、
前記複数の弾性の接続アームのそれぞれの内端部を、内部平面接続領域を介して前記内部ハブに接続し、外端部を、外部平面接続領域を介して前記外部ハブに接続する工程を備え、
前記内部平面接続領域および前記外部平面接続領域の平面は、前記対称軸に垂直であり、前記内部ハブと前記外部ハブとが前記対称軸に沿って相対的に変位した場合には、前記複数の弾性の接続アームは、前記対称軸に平行な復元力を与える方法。
【手続補正２】
【補正対象書類名】明細書
【補正対象項目名】００８７
【補正方法】変更
【補正の内容】
【００８７】
この性質の位置合わせは、例えば、一面を平坦にマシニングされたプレートからなる位置合わせ固定具によって達成することができる。この固定具の平坦な面を、内部ハブおよび外部ハブ６１６／６１８両方の面に固定することで、全ての表面をコプレーナとすることができる。固定具がこのように取り付けられる場合、弾性の接続アーム６１４を、内部ハブおよび外部ハブ６１６／６１８に搭載して、一定の位置に固定することができる。固定具はその後取り除かれてよい。
［項目１］
搭載されていない状態では、実質的に平面形状を有し、スプリングの平面に垂直な対称軸周りに少なくとも２度の回転対称度を有するスプリングであって、
内部ハブが外部ハブの半径方向の内側に存在する上記内部ハブおよび上記外部ハブと、
それぞれの内端部が内部平面接続領域を介して上記内部ハブに接続され、外端部が外部平面接続領域を介して上記外部ハブに接続された複数の弾性の接続アームとを備え、
上記内部平面接続領域および上記外部平面接続領域の平面は、上記対称軸に垂直であり、上記複数の弾性の接続アームは、上記内部ハブと上記外部ハブとが上記対称軸に沿って相対的に変位した場合には、上記対称軸に平行な復元力を与えるよう構成されており、
上記内部ハブ、上記外部ハブ、および、上記複数の弾性の接続アームそれぞれは、物理的に別個の部材として形成されており、上記スプリングを形成するための組み立て中に互いに接続されるスプリング。
［項目２］
上記複数の弾性の接続アームを、上記内部ハブおよび上記外部ハブに対して位置合わせするためのハブ配置フィーチャをさらに備える項目１に記載のスプリング。
［項目３］
上記ハブ配置フィーチャは、上記複数の弾性の接続アームおよび上記内部ハブおよび上記外部ハブにシリンダー状の穴を含み、上記シリンダー状の穴の中に挿入可能なシリンダー状の位置合わせ部材と協働させる項目２に記載のスプリング。
［項目４］
上記複数の弾性の接続アームは、複数のスタック内に配置され、あるスタック内の各弾性の接続アームは、同じスタック内の他の弾性の接続アームの全てと、上記対称軸に平行な方向に位置合わせされる項目１、２、および３のいずれか一項に記載のスプリング。
［項目５］
各スタック内の上記複数の弾性の接続アーム同士を位置合わせするためのスタック配置フィーチャをさらに備える項目４に記載のスプリング。
［項目６］
上記スタック配置フィーチャは、上記複数の弾性の接続アーム内にシリンダー状の穴を含んで、上記シリンダー状の穴内に挿入可能なシリンダー配置部材と協働させる項目５に記載のスプリング。
［項目７］
スタック配置のための上記シリンダー状の穴は、さらにハブの配置も行うよう構成されている、項目２に従属しているとき、項目６に記載されているスプリング。
［項目８］
スタック配置のための上記シリンダー状の穴は、ハブの配置のための上記シリンダー状の穴とは別個である、項目２に従属しているとき、項目６に記載されているスプリング。
［項目９］
上記ハブ配置フィーチャは、完全な負荷をかける配置フィーチャおよび部分的に負荷をかける配置フィーチャを有し、
上記完全な負荷をかける配置フィーチャは、上記複数の弾性の接続アームの上記内端部および上記外端部のうちの１つの端部の上記平面内の、上記１つの端部を接続する上記ハブの部分に対する横方向の運動を妨げ、
上記部分的に負荷をかける配置フィーチャは、上記複数の弾性の接続アームの上記内端部および上記外端部のうちの１つの端部の上記平面内の、上記１つの端部を接続する上記ハブの部分に対する第１の方向の運動を妨げるが、上記平面内の第２の方向の運動は許可し、上記第２の方向は上記第１の方向に垂直である、項目１から８のいずれか一項に記載のスプリング。
［項目１０］
上記ハブ配置フィーチャは、複数の上記完全な負荷をかける配置フィーチャおよび複数の上記部分的に負荷をかける配置フィーチャを有し、それぞれの数および方向は、上記スプリングに過度に負荷がかからないよう選択されている項目９に記載のスプリング。
［項目１１］
上記第２の方向は、１つの弾性の接続アームの外端部が接続されている上記外部ハブの部分と、上記１つの弾性の接続アームの内端部が接続されている上記内部ハブの部分とをつなぐ線沿いの方向である項目９または項目１０に記載のスプリング。
［項目１２］
上記複数の弾性の接続アームを、上記内部ハブおよび上記外部ハブに固定する固定手段をさらに備え、
上記固定手段は、上記内部平面接続領域および上記外部平面接続領域を、上記内部ハブおよび上記外部ハブに、上記対称軸に平行な方向に押圧する固定力を加える項目１から１１のいずれか一項に記載のスプリング。
［項目１３］
上記固定手段は、上記内部ハブおよび上記外部ハブのねじ穴に、上記複数の弾性の接続アームの対応する穴を介して係合されるねじを有する項目１２に記載のスプリング。
［項目１４］
上記固定手段は、１）上記複数の弾性の接続アームを、上記内部ハブおよび上記外部ハブに固定することと、２）上記複数の弾性の接続アームを、上記内部ハブおよび上記外部ハブに位置合わせすること、および上記複数の弾性の接続アーム同士を、任意のスタック内で位置合わせすることの少なくとも一方とを両方実行するよう構成されている項目１２または１３に記載のスプリング。
［項目１５］
上記ねじは、プレーンなシリンダー状の外表面を有する長尺状の肩部を有して、上記複数の弾性の接続アーム内の穴の上記シリンダー状の内表面に対して係合して、上記複数の弾性の接続アーム同士を各スタック内で位置合わせする、項目１３に従属しているとき、項目１４に記載されているスプリング。
［項目１６］
上記ねじ穴は、シリンダー状の内表面を有するねじを切られていない部分と、ねじの切られた部分とを有し、上記長尺状の肩部は、上記ねじ穴の上記ねじを切られていない部分の上記シリンダー状の内表面に係合して、上記複数の弾性の接続アームを、上記内部ハブおよび上記外部ハブに対して位置合わせする項目１５に記載のスプリング。
［項目１７］
上記ねじの上記ねじを切られた部分の外部の周りにシリンダー状のチューブをさらに備え、
上記シリンダー状のチューブの外表面は、上記複数の弾性の接続アームの穴の上記シリンダー状の内表面に係合して、各スタック内で弾性の接続アーム同士を位置合わせする、項目１３に従属しているとき、項目１４に記載されているスプリング。
［項目１８］
上記ねじ穴は、シリンダー状の内表面を有するねじを切られていない部分と、ねじの切られた部分とを有し、上記シリンダー状のチューブは、上記ねじ穴の上記ねじを切られていない部分の上記シリンダー状の内表面に係合して、上記複数の弾性の接続アームを、上記内部ハブおよび上記外部ハブに対して位置合わせする項目１７に記載のスプリング。
［項目１９］
上記固定手段は、上記複数の弾性の接続アームの各端部を、少なくとも２つの固定点を介して上記内部ハブおよび上記外部ハブに固定する項目１２から１８のいずれか一項に記載のスプリング。
［項目２０］
上記複数の弾性の接続アームのそれぞれは、上記アームの上記内端部および上記外端部付近の領域と比べて、上記アームの中間部に近い部分が薄くなるようなテーパ形状である項目１から１９のいずれか一項に記載のスプリング。
［項目２１］
上記内部ハブおよび上記外部ハブは、軸方向に撓ませられると、上記対称軸に対して回転可能であることで、上記複数の弾性の接続アームへの応力を軽減する項目１から２０のいずれか一項に記載のスプリング。
［項目２２］
各スタック内の上記複数の弾性の接続アームのそれぞれは、同じスタック内の他の弾性の接続アームから、シムによって分離されている、項目４に従属しているとき、項目４から２１のいずれか一項に記載されているスプリング。
［項目２３］
上記複数の弾性の接続アームのスタック数、または、スタックがない場合は上記複数の弾性の接続アームの数は、上記回転対称度より大きい項目１から２２のいずれか一項に記載のスプリング。
［項目２４］
上記外部ハブは複数の不連続なセグメントを有し、各セグメントは、互いに最も近い弾性の接続部材の外端部のみに接続されている項目２３に記載のスプリング。
［項目２５］
上記スプリングが搭載されていない状態において、上記複数の弾性の接続アームが接続される上記内部ハブの表面は、実質的に平坦であり、上記複数の弾性の接続アームが接続される上記外部ハブの表面とコプレーナである項目１から２４のいずれか一項に記載のスプリング。
［項目２６］
上記複数の弾性の接続アームは、上記内部ハブおよび上記外部ハブに取り外し可能な形で接続されている項目１から２５のいずれか一項に記載のスプリング。
［項目２７］
軸方向に位置合わせされ、異なる群に配置され、互いに接続された、項目１から２６のいずれか一項に記載の複数のスプリングを備えるスプリングアセンブリ。
［項目２８］
互いに物理的に分離された内部ハブおよび外部ハブと、
互いに、および、上記内部ハブおよび上記外部ハブから物理的に分離されており、内端部が上記内部ハブに接続可能であり、外端部が上記外部ハブに接続可能である複数の弾性の接続アームとを備え、
上記複数の弾性の接続アームは、上記内部ハブと上記外部ハブとが上記対称軸に対して相対的に変位すると、接続されたときに上記対称軸に平行な復元力を与えるよう構成されている項目１から２６のいずれか一項に記載のスプリングを構成するためのキット。
［項目２９］
上記スプリングの組み立て中に上記内部ハブおよび上記外部ハブを接続可能な実質的に平面の表面を有して、上記複数の弾性の接続アームが接続される上記内部ハブの表面を、実質的に平坦として、上記複数の弾性の接続アームが接続される上記外部ハブの表面とコプレーナとするアライメント固定具をさらに備える項目２８に記載のキット。
［項目３０］
項目１から２６のいずれか一項に記載のスプリングと、
上記スプリングの上記内部ハブおよび上記外部ハブの一方に接続されるシリンダーと、
上記スプリングの上記内部ハブおよび上記外部ハブの他方に接続され、上記シリンダー内で縦方向に移動するピストンとを備え、
上記スプリングは、上記ピストンと上記シリンダーとの間に一定のすきまが維持されるよう、上記シリンダー内の上記ピストンの相対運動を誘導するピストン／シリンダーアセンブリ。
［項目３１］
搭載されていない状態では、実質的に平面形状を有し、スプリングの平面に垂直な対称軸周りに少なくとも２度の回転対称度を有するスプリングを製造する方法であって、
物理的に別個の部材として、内部ハブ、外部ハブ、および複数の弾性の接続アームを提供する工程と、
上記内部ハブを、上記外部ハブの半径方向の内側に配置する工程と、
上記複数の弾性の接続アームのそれぞれの内端部を、内部平面接続領域を介して上記内部ハブに接続し、外端部を、外部平面接続領域を介して上記外部ハブに接続する工程を備え、
上記内部平面接続領域および上記外部平面接続領域の平面は、上記対称軸に垂直であり、上記内部ハブと上記外部ハブとが上記対称軸に沿って相対的に変位した場合には、上記複数の弾性の接続アームは、上記対称軸に平行な復元力を与える方法。